(57)【特許請求の範囲】
【請求項１】
竪樋を抱持する抱持部材と、建物の壁などに固着される取付部材とが進退調節可能に連結された竪樋支持具において、
上記取付部材は、上記抱持部材に固着されるスライド足体と、建物の壁などに固着される固定足体とが進退調節可能に連結されて成り、
上記スライド足体又は固定足体の一方には、外方向或いは内方向に弾性付勢された爪部を形成すると共に、他方には、この爪部を係合する係止凹部が形成されており、かつ、
上記スライド足体又は固定足体の一方には、進退方向に向けて長孔を形成すると共に、他方には、前記長孔に重合する軸孔が形成されており、これら軸孔と長孔に連結軸を連通させて上記スライド足体と固定足体とが連結している竪樋支持具。
【請求項２】
請求項１において、
上記爪部には、その弾性力に抗して移動させる操作レバーが連設されている竪樋支持具。
【請求項３】
請求項１又は２の何れかにおいて、
上記係止凹部は、進退方向に向けて連続する鋸刃状の孔部で形成されてなる竪樋支持具。
【請求項４】
請求項１又は２の何れかにおいて、
上記係止凹部は、進退方向に向けて一定の間隔をあけた複数の孔部或いは溝部で形成されてなる竪樋支持具。
【発明の詳細な説明】
【０００１】
【発明の属する技術分野】
本発明は、一般住宅やビルなどの建物の壁面等に沿って配される竪樋を抱持支承する竪樋支持具に関し、詳しくは、竪樋を抱持する抱持部材と、建物の壁などに固着される取付部材とが進退調節可能に連結された竪樋支持具に関する。
【０００２】
【従来の技術】
図４は、従来の竪樋支持具を示した斜視図である。
【０００３】
この竪樋支持具１００は、竪樋Ｔを抱持する開閉式の抱持部材１０１と、建物の壁などに固着される取付部材１０２とが進退調節可能に連結されている。
【０００４】
この取付部材１０２は、抱持部材１０１に固着されるスライド足片１０３と、建物の壁などに固着される固定足片１０４とが進退調節可能に連結されて成る。
【０００５】
取付部材１０２のスライド足片１０３には、１以上の軸孔１１３が間隔をあけて開設されており、取付部材１０２の固定足片１０４には、軸孔１１３と重合する長孔１１４が開設されている。
【０００６】
また、この軸孔１１３と長孔１１４には、上方から連結ボルト１０５が貫通されて、その下端に蝶ナット１０６を螺合している。
【０００７】
このような竪樋支持具１００は、建物の壁などに固定足片１０４の取付片１２４を釘等で固定し、その長孔１１４とスライド足片１０３の軸孔１１３とを重合させると共に、抱持部材１０１が所望の位置となるようにして進退調節させる。
【０００８】
そして、抱持部材１０１が所望の位置となったときに、蝶ナット１０６を締め付けることで、固定足片１０４とスライド足片１０３とを連結させて固定したうえで、抱持部材１０１に竪樋Ｔを取り付けるのである。
【０００９】
【発明が解決しようとする課題】
しかしながら、所望の位置に位置決めされた抱持部材１０１を、連結ボルト１０５と蝶ナット１０６で一々螺合する作業は面倒である。
【００１０】
特に、一旦位置決めされた抱持部材１０１の位置を再度調節するときには、蝶ナット１０６を弛めたうえで、再調節を行い、更にこれを締め付ける必要があり、極めて面倒であり手間がかかるなどの問題があった。
【００１１】
本発明は、かかる課題を解決することを目的とするもので、抱持部材の位置調節をワンタッチで素早く且つ簡単に行うことができる竪樋支持具を提供している。
【００１２】
【課題を解決するための手段】
上記目的を達成するため、
請求項１に係る竪樋支持具は、竪樋を抱持する抱持部材と、建物の壁などに固着される取付部材とが進退調節可能に連結された竪樋支持具において、上記取付部材は、上記抱持部材に固着されるスライド足体と、建物の壁などに固着される固定足体とが進退調節可能に連結されて成り、上記スライド足体又は固定足体の一方には、外方向或いは内方向に弾性付勢された爪部を形成すると共に、他方には、この爪部を係合する係止凹部が形成されており、かつ、上記スライド足体又は固定足体の一方には、進退方向に向けて長孔を形成すると共に、他方には、前記長孔に重合する軸孔が形成されており、これら軸孔と長孔に連結軸を連通させて上記スライド足体と固定足体とが連結している。
【００１３】
請求項１では、スライド足体又は固定足体の一方には、外方向或いは内方向に弾性付勢された爪部を形成すると共に、他方には、この爪部を係合する係止凹部が形成されている。
【００１４】
この爪部を、その弾性力に抗して係止凹部から離脱させると、スライド足体と固定足体は進退調節可能となる。
【００１５】
この状態で、抱持部材を所望の位置に進退調節した後、離脱状態となっている爪部を離せば、その弾性力によって、爪部は再び係止凹部に係合し、両者の進退調節が規制される。そのため、抱持部材の位置調節をワンタッチで素早く且つ簡単に行うことができる。
【００１６】
また、連結軸を連通させてスライド足体と固定足体とが連結されているので、進退調節をスムーズに行なうことができる。
【００１７】
請求項２に係る竪樋支持具は、請求項１において、上記爪部には、その弾性力に抗して移動させる操作レバーが連設されている。
【００１８】
請求項２では、操作レバーが連設されているので、爪部と係止凹部との離脱、係合を操作レバーでより簡単に行なうことができる。
【００１９】
（削除）
【００２０】
（削除）
【００２１】
請求項３に係る竪樋支持具は、請求項１又は２の何れかにおいて、上記係止凹部は、進退方向に向けて連続する鋸刃状の孔部で形成されてなる。
【００２２】
請求項３では、僅かな間隔をあけて略連続的な鋸刃状の孔部で形成されているので、抱持部材の進退調節位置を鋸刃の凹部で段階的（略連続的）に微調節できる。
【００２３】
請求項４に係る竪樋支持具は、請求項１又は２の何れかにおいて、上記係止凹部は、進退方向に向けて一定の間隔をあけた複数の孔部或いは溝部で形成されてなる。
【００２４】
請求項４では、間隔をあけて断続的な孔部或いは溝部が形成されているので進退調節ができ、特に断続的な孔部を設けたことによれば、抱持部材の進退調節位置を解り易くできる。
【００２５】
【発明の実施の形態】
以下、本発明に係る竪樋支持具Ａを図面とともに説明する。
【００２６】
図１は、本発明に係る竪樋支持具Ａの一実施例を示す分解斜視図である。
【００２７】
この竪樋支持具Ａは、竪樋Ｔを抱持する開閉式の抱持部材１と、建物の壁などに固着される取付部材２とが進退調節可能に連結されている。
【００２８】
この取付部材２は、抱持部材１に固着されるスライド足体３と、建物の壁などに固着される固定足体４とが進退調節可能に連結されて成る。
【００２９】
スライド足体３は、下方に向けて開放された断面略コ状の足本体３１と、この足本体３１の基端側の両側壁から下方に延設して操作レバー３２が形成されている。
【００３０】
図１で示した操作レバー３２では、弾性力に抗して矢印のように内方向に閉め付けると、外方向に向けて弾性付勢されるため、この操作レバー３２を離せば、元の位置に復元されるものを例示している。
【００３１】
この操作レバー３２と足本体３１との連設付近には、操作レバー３２と連動して外方向に弾性付勢された爪部３３を形成している。
【００３２】
図１で示した爪部３３は、足本体３１の両側壁の一部を外方向に切り起こして形成されている。
【００３３】
一方、固定足体４は、スライド足体３の足本体３１を外装するように、下方に向けて開放された断面略コ状に形成しており、基端には、これを建物の壁などに固定するために取付孔４１を開設した１以上の取付片部４２を形成している。
【００３４】
また、固定足体４の前端側壁に切り込みを入れ、その前側の両側壁を内側に折り曲げて受片部４３を形成しており、この受片部４３によって、スライド足体３を支持すると共に、その抜け外れを防止している。
【００３５】
固定足体４の両側壁には、スライド足体３の爪部３３に係合される係止凹部４４を形成している。
【００３６】
この係止凹部４４は、進退方向に向けて凹凸が連続する鋸刃状に形成しており、このように僅かな間隔をあけて略連続的な鋸刃状の孔部４４ａ（凹部）が形成されているので、抱持部材１の進退調節位置を鋸刃の凹部で段階的（略連続的）に微調節できる。
【００３７】
また、係止凹部４４は、進退方向に向けて一定の間隔をあけた複数の孔部（不図示）で構成することも可能であり、このように間隔をあけて断続的な孔部を形成すれば、抱持部材１の進退調節位置を解り易く、且つ確実に調節できる。
【００３８】
また、係止凹部４４は、固定足体４の両側壁内面に進退方向に向けて一定の間隔をあけて設けた複数の溝部（不図示）で構成することも可能であり、このような断続的に設けた溝部でも、抱持部材１を進退調節できる。
【００３９】
このように構成した竪樋支持具Ａは、建物の壁などに固定足体４の取付片部４２を釘等で固定し、この固定された固定足体４の前方から、スライド足体３の基端を内装すると共に、その爪部３３を固定足体４の係止凹部４４に係合させてセットする。
【００４０】
そして、操作レバー３２を図中矢印で示すように、その弾性力に抗して内方向に閉め込めば、爪部３３も連動して内方向に埋没されるため、固定足体４の係止凹部４４から離脱し、スライド足体３は固定足体４と進退調節可能となる。
【００４１】
この状態で、抱持部材１を所望の位置に進退調節した後、閉め込んでいた操作レバー３２を離せば、その弾性力によって、爪部３３は再び係止凹部４４に係合し、両者の進退調節が規制され、この位置固定された抱持部材１に、竪樋Ｔを取り付けるのである。
【００４２】
このような本発明に係る竪樋支持具Ａによれば、操作レバー３２を摘んで離すだけのワンタッチ操作によって、抱持部材１の位置調節を素早く且つ簡単に行うことができる。
【００４３】
なお、本実施例では、上記爪部３３が内方向に弾性付勢されたものを例示しているが、爪部３３が外方向に弾性付勢されたものであっても、その作用、効果は同様である。
【００４４】
図２は、本発明に係る竪樋支持具Ａの他の実施例を示す分解斜視図である。
【００４５】
ここで、図１と共通する部位には、共通の符号を付し、その説明を省略している。
【００４６】
この竪樋支持具Ａは、スライド足体３の上面に、進退方向に向けて長孔３４を形成すると共に、固定足体４の上面には、前記長孔３４に重合する軸孔４５が形成されており、これら軸孔４５と長孔３４に、リベットなどの連結軸５を連通させてカシメ止めして、スライド足体３と固定足体４とを連結している。
【００４７】
このような連結構造の竪樋支持具Ａによれば、連結軸５を連通させてスライド足体３と固定足体４とが連結されているので、スライド足体３の進退調節をよりスムーズに行なうことができる。
【００４８】
図３は、本発明に係る竪樋支持具Ａの更に他の実施例を示す分解斜視図である。
【００４９】
ここで、図１、図２と共通する部位には、共通の符号を付し、その説明を省略している。
【００５０】
この竪樋支持具Ａでは、図１、図２の操作レバー３２が内方に摘んで操作されていたのに対し、これを上方に引き上げて操作するものを例示している。
【００５１】
すなわち、固定足体４の上面の適所をコ状に切り欠くと共に、その一部を上方に折り曲げて操作レバー３２を形成し、この操作レバー３２の下方に向けて爪部３３を突設している。
【００５２】
一方、スライド足体３の上面には、長手方向に係止凹部４４が形成されており、この係止凹部４４と固定足体３の爪部３３とが係合している。
【００５３】
このような構造の竪樋支持具Ａによれば、操作レバー３２を上方から操作することができるうえ、これを引き上げて離すだけのワンタッチ操作で上記と同様の効果を得ることができる。
【００５４】
なお、本実施例では、建物の壁などに固定される固定足体４に、スライド足体３が内装される構造のものを例示しているが、これらの内外を逆にして、固定足体４に、スライド足体３が外装される構造ものであっても同様である。
【発明の効果】
本発明によれば、次のような効果がある。
【００５５】
請求項１に記載した竪樋支持具によれば、スライド足体又は固定足体の一方には、外方向或いは内方向に弾性付勢される爪部を形成すると共に、他方には、この爪部を係合する係止凹部が形成されている。
【００５６】
そのため、抱持部材の位置調節をワンタッチで素早く且つ簡単に行うことができる。
また、連結軸を連通させてスライド足体と固定足体とが連結されているので、進退調節をスムーズに行なうことができる。
【００５７】
請求項２に係る竪樋支持具によれば、操作レバーが連設されているので、爪部と係止凹部との離脱、係合を操作レバーでより簡単に行なうことができる。
【００５８】
（削除）
【００５９】
請求項３に係る竪樋支持具によれば、僅かな間隔をあけて略連続的な孔部（凹部）が形成されているので、抱持部材の進退調節位置を鋸刃の凹部で段階的に微調節できる。
【００６０】
請求項４に係る竪樋支持具によれば、間隔をあけて断続的な孔部或いは溝部が形成されているので進退調節ができ、特に断続的な孔部を設けたことによれば、抱持部材の進退調節位置を解り易くできる。
【図面の簡単な説明】
【図１】 本発明に係る竪樋支持具Ａの一実施例を示す分解斜視図
【図２】 本発明に係る竪樋支持具Ａの他の実施例を示す分解斜視図
【図３】 本発明に係る竪樋支持具Ａの更に他の実施例を示す分解斜視図
【図４】 従来の竪樋支持具を示した斜視図
【符号の説明】
Ａ    竪樋支持具
Ｔ    竪樋
１    抱持部材
２    取付部材
３    スライド足体
３２  操作レバー
３３  爪部
３４  長孔
４    固定足体
４４  係止凹部
４４ａ  鋸刃状の孔部
４５  軸孔
５    連結軸
【図１】
0004714359.tif 000002
【図２】
0004714359.tif 000003
【図３】
0004714359.tif 000004
【図４】
0004714359.tif 000005